(57)【要約】【課題】長尺状のランプを挟持するランプホルダまたは長尺状のランプを覆うチューブを挟持するホルダを設けても照度低下が生じにくい照明器具を提供する。【解決手段】本実施形態によれば、ランプホルダ９の挟持部９０，９０の内径がランプ４の外径よりも小さくなるように形成されており、挟持部９０，９０でランプ４を挟持する挟持箇所９５が４箇所の略点接触となっている。したがって、ランプホルダ９付近のバルブ４１の表面温度がランプホルダ９を介して放熱されにくくなっているので、ランプ４の照度が低下することを抑制している。【選択図】図６
2005276632.tif 000002
【特許請求の範囲】
【請求項１】
長尺状の器具本体と；
器具本体の端部に設けられるランプソケットと；
長尺状のバルブを有し、ランプソケットに口金部が取着されて器具本体に設けられるランプと；
ランプの長手方向に対して垂直方向からランプを挟持する断面が円弧状の一対の挟持部を有し、この一対の挟持部の内径がランプの外径よりも小さくなるように形成された金属製のランプホルダと；
を具備していることを特徴とする照明器具。
【請求項２】
長尺状の器具本体と；
器具本体の端部に設けられるランプソケットと；
長尺状のバルブを有し、ランプソケットに口金部が取着されて器具本体に設けらるランプと；
ランプのバルブ全体を覆うように設けられるチューブと；
チューブの長手方向に対して垂直方向からチューブを挟持する断面が円弧状の一対の挟持部を有し、この一対の挟持部の内径がチューブの外径よりも小さくなるように形成された金属製のホルダと；
を具備していることを特徴とする照明器具。
【発明の詳細な説明】
【技術分野】
【０００１】
本発明は、長尺状のランプが設けられる照明器具に関する。
【背景技術】
【０００２】
従来から長尺のバルブからなる蛍光ランプとしては管径が３８ｍｍであって、管長が２３６７ｍｍのいわゆるＴ１２形１１０Ｗタイプと称されるものがある。
【０００３】
そして、近年、Ｔ１２形１１０Ｗタイプと管長が略同じながらも高周波点灯専用であってＴ１２形１１０Ｗタイプと比較すると効率が優れたＴ８形８６Ｗタイプの蛍光ランプが普及しつつある。このＴ８形８６Ｗタイプは、Ｔ１２形１１０Ｗタイプと比較すると上記したように管長は略等しいが、管径が異なるもであって、その管径は２５．５ｍｍとなっている。
【０００４】
このようなＴ８形８６Ｗタイプを用いた照明器具においては、Ｔ８形８６Ｗタイプの蛍光ランプの管長が長いにも関わらず管径が小さいので、振動等によって蛍光ランプが共振して破損してしまうことがある。したがって、これを防ぐためにこの蛍光ランプの略中間部付近をランプホルダーで挟持する構造が用いられている（例えば特許文献１参照）。
【０００５】
この特許文献１記載の照明器具は、Ｔ８形の長尺状ランプの中間位置にＴ１２形のランプは挟持できないような補助ランプホルダを設けるというものであって、これにより、Ｔ８形とＴ１２形との誤交換を防止するというものである。
【特許文献１】特開２０００−２５１５２２号公報（第２頁、図１）
【発明の開示】
【発明が解決しようとする課題】
【０００６】
しかしながら、従来のような蛍光ランプのバルブを挟持するランプホルダは金属である鋼材で形成されることが一般的であるが、鋼材は熱伝導率が高いために蛍光ランプのバルブ表面の熱がランプホルダを介して放熱されてしまうので、バルブ表面の熱が低下して照度低下を招く虞があった。この照度低下は特に低温雰囲気下において起こりやすいものであり、低温雰囲気下での使用には課題があった。
【０００７】
また、ランプホルダを熱伝導性の低い樹脂製で形成することも考えられるが、樹脂製のランプホルダであると弾性力が小さく、挟持力に限界があったので、信用性に乏しく、使用に好適ではなかった。
【０００８】
一方、常に低温雰囲気下において、低温による蛍光ランプの照度低下を防ぐために蛍光ランプ全体をチューブにて覆う構造が知られており、このような構成をＴ８形８６Ｗタイプに用いた場合にもチューブの略中間部をホルダで挟持することが必要となる。そしてこのチューブを挟持するホルダが金属製である場合には、ホルダを介してチューブ内の熱が放熱されてしまうことがあるので、保温効果が低下し、例えばＴ１２形１１０Ｗタイプであればある程度の照度が得られる温度環境であってもＴ８形８６Ｗタイプであれば照度不足により用いることができないということがあった。
【０００９】
本発明は上記の点に鑑みなされたものであり、長尺状のランプを挟持するランプホルダまたは長尺状のランプを覆うチューブを挟持するホルダを設けても照度低下が生じにくい照明器具を提供することを目的とする。
【課題を解決するための手段】
【００１０】
請求項１記載の照明器具は、長尺状の器具本体と；器具本体の端部に設けられるランプソケットと；長尺状のバルブを有し、ランプソケットに口金部が取着されて器具本体に設けられるランプと；ランプの長手方向に対して垂直方向からランプを挟持する断面が円弧状の一対の挟持部を有し、この一対の挟持部の内径がランプの外径よりも小さくなるように形成された金属製のランプホルダと；を具備することを特徴としている。
【００１１】
本発明および以下の発明において、特に定義しない限り用語の意味は次のとおりとする。
【００１２】
ランプの形状は、いわゆる直管、Ｕ字状、Ｈ字状等のいずれであってもよく、要するにZ直線状にバルブが形成されていればよい。
【００１３】
ランプソケットは、例えばランプが直管であれば器具本体の両端部に設けられるものであるが、例えばバルブがＵ字状である片口金ランプであるような場合には器具本体の一方の端部に設けられればよいものであり、対象とするランプの形状等に応じて適宜選択されるものである。
【００１４】
本発明は、まず、器具本体のランプソケットへランプの口金部を取着してランプを取付ける。そして、この際に器具本体の長手方向の端部を除いたいずれかの箇所に設けられたランプホルダへもランプが挟持される。
【００１５】
このランプホルダとランプであるが、ランプのバルブを一対の挟持部間へ挿入すると、一対の挟持部がその弾性力によって互いに近づく方向に力が作用してランプのバルブが一対の挟持部間に挟持されることになる。そして、一対の挟持部間に挿入されたランプのバルブと一対の挟持部とが接触している箇所は、挟持部において、断面円弧状の両端部近傍となる。
【００１６】
請求項１の発明によれば、長尺状の器具本体と；器具本体の端部に設けられるランプソケットと；長尺状のバルブを有し、ランプソケットに口金部が取着されて器具本体に設けられるランプと；ランプの長手方向に対して垂直方向からランプを挟持する断面が円弧状の一対の挟持部を有し、この一対の挟持部の内径がランプの外径よりも小さくなるように形成された金属製のランプホルダと；を具備することにより、挟持部とランプのバルブとの接触面積が小さくなり、ランプホルダを介してバルブ表面の温度が放熱されることが抑制されるので、ランプホルダが金属製であってもランプの照度が低下することを防ぐことができる。
【００１７】
請求項２記載の照明器具は、長尺状の器具本体と；器具本体の端部に設けられるランプソケットと；長尺状のバルブを有し、ランプソケットに口金部が取着されて器具本体に設けらるランプと；ランプのバルブ全体を覆うように設けられるチューブと；チューブの長手方向に対して垂直方向からチューブを挟持する断面が円弧状の一対の挟持部を有し、この一対の挟持部の内径がチューブの外径よりも小さくなるように形成された金属製のホルダと；を具備していることを特徴とする。
【００１８】
請求項２の発明によれば、長尺状の器具本体と；器具本体の端部に設けられるランプソケットと；長尺状のバルブを有し、ランプソケットに口金部が取着されて器具本体に設けらるランプと；ランプのバルブ全体を覆うように設けられるチューブと；チューブの長手方向に対して垂直方向からチューブを挟持する断面が円弧状の一対の挟持部を有し、この一対の挟持部の内径がチューブの外径よりも小さくなるように形成された金属製のホルダと；を具備していることにより、挟持部とチューブとの接触面積が小さくなり、ホルダを介してチューブ内の熱が放熱されることが抑制されるので、金属製のホルダであっても保温効果が低下しないとともに、ランプの照度が低下することを抑制することができる。
【発明の効果】
【００１９】
請求項１の照明器具によれば、挟持部とランプのバルブとの接触面積が小さくなり、ランプホルダを介してバルブ表面の温度が放熱されることが抑制されるので、ランプホルダが金属製であってもランプの照度が低下することを防ぐことができる。
【００２０】
また請求項２の照明器具によれば、挟持部とチューブとの接触面積が小さくなり、ホルダを介してチューブ内の熱が放熱されることが抑制されるので、金属製のホルダであっても保温効果が低下しないとともに、ランプの照度が低下することを抑制することができる。
【発明を実施するための最良の形態】
【００２１】
以下、本発明の第一実施の形態を図面を参照して説明する。
【００２２】
図１は第一実施形態の照明器具を示すの斜視図、図２は図１の照明器具の要部を示した断面図、図３は図1の照明器具のホルダを示す正面図、図４は図１のホルダとランプとの挟持状態を示す説明図である。
【００２３】
照明器具１は、天井面に直付される器具本体２を備えたいわゆるトラフ形の照明器具であって、図１に示したよう、器具本体２、ランプソケット３，３、蛍光ランプであるランプ４、ホルダ５、チューブ６および点灯装置８等を備えている。
【００２４】
器具本体２は、シャーシ２０および反射板７等からなっており、シャーシ２０は、いわゆるカラー鋼板を用いて形成され、図２に示した上板部２１と、この上板部２１の長手方向に沿った両側に連続する側板部２２と、長手方向の両端部を覆う端板部２３とを備え、下面を開口した略箱状に形成されている。
【００２５】
またシャーシ２０の内側には、電子式の安定器８と、図示しない端子台などが収納固定されている。さらに、長手方向の両端部には、相対向するランプソケット３，３が下側に突出して取り付けられている。そして、上板部２１などに形成された電源用孔部を介して、電源線がシャーシ２０内に引き込まれて端子台に接続され、この端子台から安定器８およびランプソケット３，３に接続されている。
【００２６】
またシャーシ２０は、その下面開口を覆うようにカラー鋼鈑からなる反射板７が設けられており、この反射板７の長手方向の両端部には、ランプソケット３，３が挿通する図示しないソケット挿通部が形成されている。
【００２７】
また反射板７は、反射板取付金具７１と取付具７２によってシャーシ２０へ取付けられているものである。この反射板取付金具７１は、上方へ向かって突設された本体取付部７１ａをシャーシ２０の図示しない係合孔に外側から挿入して係合することにより、シャーシ２０へ取付けられるものである。また、反射板取付金具７１の中央部には、取付具受部７１ｂが形成されている。そして、この取付金具受部７１ｂにラッチである取付具７２が挿入されて回動することにより反射板７を反射板取付金具７１に取り付けるようになっている。
【００２８】
ランプソケット３は、防湿あるいは防雨などの機能を有する防水用ランプソケットすなわちいわゆる防水ソケットで、シャーシ２０に固定される図示しないソケット本体と、このソケット本体にねじ込みなどして取り付けられる円筒状のキャップ部と、これらソケット本体とキャップ部との間に挟まれるゴムパッキング及びスリップリングなどを備えているものである。
【００２９】
ランプ４は、Ｔ８形８６Ｗタイプの直管形であって、管径が２５．５ｍｍ、管長２３６７ｍｍの蛍光ランプでありガラス管であるバルブ４１と、このバルブ４１の両端部に位置する金属製の口金部４２とを備えている。そして、各口金部４２は、バルブ４１より径寸法が若干小さく形成されているとともに、両端部から一対の図示しない口金ピンが突設されている。
【００３０】
チューブ６は、透光性を有する素材、例えば、透明なポリカーボネート製で内側にランプ４を収納可能な円筒状に形成されている。そして、このチューブ６の内径寸法は、ランプ４の外径寸法すなわちバルブ４１の外形寸法よりも大きくなるように形成されている。
【００３１】
ホルダ５は、図３に示すように、器具本体２および反射板７の略中間部に反射板７へネジ等で固定されて配置されている金属製のものである。そして、このホルダ５は、チューブ６の長手方向に対して垂直方向からチューブ６を挟持するための断面が円弧状の一対の挟持部５０、５０を有する弾性挟持片５１を備えているものである。
【００３２】
またホルダ５は、器具本体２へホルダ５を設けるための支持片５２、５２が形成されており、その器具本体２側とは反対側へ挟持部５０、５０が形成されている。そして、挟持部５０、５０の器具本体２側とは反対側の端部には、外側へ開くように外端部５３が形成されている。
【００３３】
またホルダ５の挟持部５０、５０は、チューブ６が挟持される前の状態において、その内径Ｂが図４に示したチューブ６の外径Ａよりも小さくなるように形成されているものである。
【００３４】
本実施形態は、まず、シャーシ２０を天井面等に取付けた後に取付金具７１をシャーシ２０へ取付け、さらに、取付具７１を介して反射板７がシャーシ２０へ取付られる。そして、チューブ６によって覆われたランプ４の一方の口金部４２をソケット３へ取着し、その後に他方の口金部４２をソケット３へ取着する。
【００３５】
この際、ホルダ５へは一対の弾性挟持片５１、５１の外端部５３，５３間の開口部５４からチューブ６が反射板７の方向へ挿入されるが、開口部５４が弾性変形によって弾性挟持片５１，５１が相反する方向へ開くことでチューブ６が挟持部５０，５０間に位置するようになる。そして、チューブ６が挟持部５０、５０間に位置すると弾性挟持片５１，５１は、その弾性によってチューブ６を挟持する方向へ力が作用するので、挟持部５０、５０によってチューブ６が挟持されることとなる。
【００３６】
本実施形態によれば、ホルダ５が、ランプ４のバルブ４１全体を覆うように設けられるチューブ６の長手方向に対して垂直方向からチューブ６を挟持する断面が円弧状の一対の挟持部５０，５０を有する弾性挟持片５１，５１を具備し、この一対の挟持部５０，５０のチューブ６が挟持される前の状態における内径Ｂがチューブ６の外径Ａよりも小さくなるように形成されているので、挟持部５０，５０でチューブ６を挟持する挟持箇所５５が図４に示したような４箇所の略点接触となる。したがって、ホルダ５が放熱作用を生じたとしてもホルダ５付近のチューブ６の表面温度が極端に低下することが抑制されているので、ランプ４の照度がホルダ５の影響によって低下することを防いでいる。
【００３７】
また、本実施形態のようなＴ８形８６Ｗタイプのランプ４であってもホルダ５の影響による照度低下を抑制するので、Ｔ１２形１１０Ｗタイプと略同様な温度環境で使用可能となり、Ｔ１２形１１０Ｗタイプと比較しても汎用性をが低下することがない。
【００３８】
次に第二実施形態ついて図５，６、７、８を参照して説明する。図５は第二実施形態の照明器具を示す斜視図、図６は図５の照明器具の要部を示した断面図、図７は図５の照明器具のランプホルダを示す正面図、図８は図５のランプホルダとランプとの挟持状態を示す説明図である。なお、第一実施形態と同一構成については同一の符号を付しその説明は省略する。
【００３９】
照明器具１’は第一実施形態のチューブ６を具備しない形態のものである。そして、本実施形態のランプホルダ９は、図６に示したように、器具本体２および反射板７の略中間部に反射板７へネジ等で固定されて配置されている金属製のものである。そして、このランプホルダ９は、ランプ４の長手方向に対して垂直方向からランプ４を挟持するための断面が円弧状の一対の挟持部９０、９０を有する弾性挟持片９１を備えているものである。
【００４０】
またランプホルダ９は、器具本体２へランプホルダ９を設けるための支持片９２、９２が形成されており、その器具本体２側とは反対側へ挟持部９０、９０が形成されている。そして、挟持部９０、９０の器具本体２側とは反対側の端部には、外側へ開くように外端部９３が形成されている。
【００４１】
またランプホルダ９の挟持部９０、９０は、ランプ４が挟持される前の状態において、図７に示したその内径Dが図８に示したランプ４の外径Ｃよりも小さくなるように形成されているものである。
【００４２】
本実施形態によれば、ランプホルダ９が、ランプ４の長手方向に対して垂直方向からランプ４を挟持する断面が円弧状の一対の挟持部９０，９０を有する弾性挟持片９１，９１を具備し、この挟持部９０，９０のランプ４が挟持される前の状態における内径Ｃがランプ４の外径Ｄよりも小さくなるように形成されているので、挟持部９０，９０でランプ４を挟持する挟持箇所９５が図８に示したような４箇所の略点接触となる。したがって、ランプホルダ９が放熱作用を生じたとしてもランプホルダ９付近のバルブ４１の表面温度が極端に低下することを抑制するので、ランプ４の照度がランプホルダ９の放熱作用の影響によって低下することを防ぐことができる。なお本実施形態のようなランプホルダ９によるランプ４の照度低下の要因の一つは、ランプホルダ９付近のバブル４１の表面温度とランプホルダ９から離れたバルブ４１の表面温度との温度差が大きくなることによって生じるものであるが、この温度差を本実施形態では小さくすることが可能となっている。
【００４３】
また、本実施形態のようなＴ８形８６Ｗタイプのランプ４であってもランプホルダ９の影響による照度低下を抑制するので、Ｔ１２形１１０Ｗタイプと略同様な温度環境で使用可能となり、Ｔ１２形１１０Ｗタイプと比較した場合であっても汎用性を低下させることがない。
【００４４】
なお、上記の各実施形態では、ソケット３として、防水ソケットについて説明したが、この構成に限られず、キャップ部などを備えない通常のソケットを用いることもできる。この構成は、例えば、空調装置の送風により冷却されやすい蛍光ランプの保温について有効である。
【図面の簡単な説明】
【００４５】
【図１】第一実施形態の照明器具を示すの斜視図
【図２】図１の照明器具の要部を示した断面図
【図３】図1の照明器具のホルダを示す正面図
【図４】図１のホルダとランプとの挟持状態を示す説明図
【図５】第二実施形態の照明器具を示す斜視図
【図６】図５の照明器具の要部を示した断面図
【図７】図５の照明器具のランプホルダを示す正面図
【図８】図５のランプホルダとランプとの挟持状態を示す説明図
【符号の説明】
【００４６】
１、１’・・・照明器具、２…器具本体、３・・・ソケット、４・・・ランプ、５・・・ホルダ、６・・・チューブ、９・・・ランプホルダ
【図１】
2005276632.tif 000003
【図２】
2005276632.tif 000004
【図３】
2005276632.tif 000005
【図４】
2005276632.tif 000006
【図５】
2005276632.tif 000007
【図６】
2005276632.tif 000008
【図７】
2005276632.tif 000009
【図８】
2005276632.tif 000010